(57)【要約】      （修正有）【課題】簡単な取付作業で止水板の自重による変形を確実に防止し、止水板の配置状態を正常にすることでコンクリート躯体の止水性能を確保できる止水板補正冶具を提供する。【解決手段】対向するコンクリート躯体間に跨って埋設する止水板４の端部４ａを保持し、コンクリート９打設時に止水板４の自重による端部４ａの垂れ下がりを防ぐ止水板補正冶具であって、止水板取付部２と、躯体当接部３とを備えており、止水板取付部２は、止水板４の端部４ａに取り付けて端部４ａを曲げて持ち上げるものであり、躯体当接部３は、躯体６ａに当接するものであり、止水板取付部２が躯体当接部３から上方に傾斜して延伸しており、止水板取付部２に止水板４の自重と止水板４の変形に伴う弾性力が加わるとともに、躯体当接部３が止水板取付部２の荷重を受けて躯体６ａを押圧することにより、止水板４の端部４ａと躯体６ａとの間で止水板４を支持する。【選択図】図１
2016223210.tif 000002
【特許請求の範囲】
【請求項１】
対向する一方と他方のコンクリート躯体間に跨って埋設する止水板の端部を保持し、コンクリート打設時に止水板の自重による端部の垂れ下がりを防ぐ止水板補正冶具であって、
止水板取付部と、躯体当接部とを備えており、止水板取付部は、止水板の端部に取り付けて止水板の端部を曲げて持ち上げるものであり、躯体当接部は、躯体に当接するものであり、止水板取付部が躯体当接部から上方に傾斜して延伸しており、止水板取付部に止水板の自重と止水板の変形に伴う弾性力が加わるとともに、躯体当接部が止水板取付部の荷重を受けて躯体を押圧することにより、止水板の端部と躯体との間で止水板を支持することを特徴とする止水板補正冶具。
【請求項２】
止水板取付部は、一方側押さえ部と他方側押さえ部と連結部を有しており、
連結部は、一方側押さえ部と他方側押さえ部の間隔をあけて連結するものであり、
一方側押さえ部と他方側押さえ部の間には、止水板の端部を受け入れる端部受入部を形成し、躯体当接部は、一方側押さえ部または他方側押さえ部のいずれかの端縁から傾斜して設けてあることを特徴とする請求項１記載の止水板補正冶具。
【請求項３】
ほぼ水平に設置された止水板の端部を止水板取付部の端部受入部に浅く差し込む手順、止水板の端部を浅く差し込んだ止水板取付部を斜め上方に持ち上げる手順、止水板の端部を端部受入部に深く差し込み、躯体当接部を躯体に当接する手順、コンクリートを止水板とほぼ同じ位置まで打設し、止水板の端部から止水板補正冶具を取り外す手順、以上の各手順を経てコンクリート躯体内に止水板をほぼ水平に配置することを特徴とする止水板の変形補正方法。
【発明の詳細な説明】
【技術分野】
【０００１】
本発明は、コンクリート躯体同士の継目に配置される止水板に使用する止水板補正冶具と、止水板の変形補正方法に関するものである。
【背景技術】
【０００２】
トンネルや地下道といった比較的大きなコンクリート躯体にあっては、躯体を構成する各コンクリートブロック間に継目が設けられる。また、継目には止水板が配置してあり、止水板の配置によって隣接するコンクリート躯体間を止水することができる。
【先行技術文献】
【特許文献】
【０００３】
【特許文献１】特開平６−１３６３５０号公報
【発明の概要】
【発明が解決しようとする課題】
【０００４】
比較的大型のコンクリート躯体では、躯体の開口寸法の全長にわたって継目が形成される。このときに、継目からの浸水を防ぐ目的で上記の継目の全長にわたって止水板が配置される。ところが、止水板は樹脂等の可撓性を有する素材で成形されており、コンクリート躯体が大型化すると、それに伴って止水板も大型のものが使用される。このことから、図８（ａ）のように、対向するコンクリート躯体５ａ，５ｂ間の継目Ｐに跨って配置された止水板４の端部４ａが自重で垂れ下がり、さらに、打設したコンクリートの流動等で各コンクリート躯体５ａ，５ｂ内に止水板４が正常な状態で配置されない。また、コンクリートの養生後は、図８（ｂ）のように、コンクリート躯体５ａ，５ｂと止水板４との間に空隙Ｓを形成し、その空隙Ｓに水が浸入してコンクリート躯体５ａ，５ｂの水密性と耐久性が損なわれる問題点があった。
【０００５】
本発明は、上記課題を鑑みてなされたものであり、簡単な取付作業で止水板の自重による変形を確実に防止し、止水板の配置状態を正常にすることでコンクリート躯体の止水性能を確保できる止水板補正冶具を提供することにある。
【課題を解決するための手段】
【０００６】
本発明のうち請求項１記載の発明は、対向する一方と他方のコンクリート躯体間に跨って埋設する止水板の端部を保持し、コンクリート打設時に止水板の自重による端部の垂れ下がりを防ぐ止水板補正冶具であって、止水板取付部と、躯体当接部とを備えており、止水板取付部は、止水板の端部に取り付けて止水板の端部を曲げて持ち上げるものであり、躯体当接部は、躯体に当接するものであり、止水板取付部が躯体当接部から上方に傾斜して延伸しており、止水板取付部に止水板の自重と止水板の変形に伴う弾性力が加わるとともに、躯体当接部が止水板取付部の荷重を受けて躯体を押圧することにより、止水板の端部と躯体との間で止水板を支持することを特徴とする。尚、躯体とは、コンクリート躯体、コンクリートの型枠、目地板等のコンクリート躯体、及びコンクリート躯体を成形する施工具をすべて含むものである。
【０００７】
本発明のうち請求項２記載の発明は、止水板取付部は、一方側押さえ部と他方側押さえ部と連結部を有しており、連結部は、一方側押さえ部と他方側押さえ部の間隔をあけて連結するものであり、一方側押さえ部と他方側押さえ部の間には、止水板の端部を受け入れる端部受入部を形成し、躯体当接部は、一方側押さえ部または他方側押さえ部のいずれかの端縁から傾斜して設けてあることを特徴とする。
【０００８】
本発明のうち請求項３記載の発明は、ほぼ水平に設置された止水板の端部を止水板取付部の端部受入部に浅く差し込む手順、止水板の端部を浅く差し込んだ止水板取付部を斜め上方に持ち上げる手順、止水板の端部を端部受入部に深く差し込み、躯体当接部を躯体に当接する手順、コンクリートを止水板とほぼ同じ位置まで打設し、止水板の端部から止水板補正冶具を取り外す手順、以上の各手順を経てコンクリート躯体内に止水板をほぼ水平に配置することを特徴とする。
【発明の効果】
【０００９】
本発明のうち請求項１及び３記載の発明によれば、止水板取付部が躯体当接部から上方に傾斜して延伸していることで、止水板補正冶具の全体が屈曲した形状をなしている。また、止水板取付部を止水板の端部に取り付け、自重で垂れ下がる止水板の端部を曲げて持ち上げるとともに、コンクリート躯体や型枠、目地板を含む躯体側に躯体当接部を当接して使用する。このようにすると、止水板の端部の自重、及び可撓性を有する止水板を曲げた弾性復帰に伴う弾性力を止水板取付部が受けるとともに、躯体当接部は上記の止水板取付部の荷重を躯体側に伝えて押圧する。これにより、止水板補正冶具は、止水板の端部と躯体の間でいわゆる突っ張った状態で配置されることになるので、止水板補正冶具を固定金具等を用いなくても躯体に固定できる。このことから、簡単な作業でコンクリートの打設後においても止水板をほぼ水平な状態で対向する一方と他方のコンクリート躯体間に跨って配置することが可能となり、コンクリート躯体の止水性能を確保することができる。
【００１０】
本発明のうち請求項２記載の発明によれば、止水板の端部を止水板取付部の端部受入口に受け入れてくわえ込ませて止水板の端部を持ち上げ、さらに、止水板の端部を一方側押さえ部と他方側押さえ部の内周部に沿って深くくわえ込ませるとともに、躯体当接部を躯体に当接する。上記した一連の作業を行うことにより、躯体当接部が止水板取付部の荷重をそのまま躯体に伝えるので、コンクリートの打設をするときに、止水板補正冶具を固定金具等で躯体に固定する必要がないことから、容易且つ効率的に止水板の変形を防ぐことができる。
【図面の簡単な説明】
【００１１】
【図１】図７中Ａを拡大し、本実施による止水板補正冶具の使用状態を示す縦断面図である。
【図２】本実施による止水板補正冶具の斜視図である。
【図３】（ａ）〜（ｄ）は、本実施による止水板補正冶具の一方のコンクリート躯体を施工するときの使用手順を示す縦断面図である。
【図４】（ａ）〜（ｄ）は、本実施による止水板補正冶具の他方のコンクリート躯体を施工するときの使用手順を示す縦断面図である。
【図５】（ａ）〜（ｃ）は、止水板補正冶具の使用手順をさらに詳細に説明した縦断面図である。
【図６】本発明の止水板補正冶具の他の実施形態を示す（ａ）は、縦断面図であり、（ｂ）は、使用状態図である。
【図７】本実施によるコンクリート躯体の施工後の状態を示す（ａ）は、正面図であり、（ｂ）は、縦断面図であり、（ｃ）は、Ｂ−Ｂ線断面図である。
【図８】従来のコンクリート躯体の止水構造を示す（ａ）は、コンクリート打設前の縦断面図であり、（ｂ）は、コンクリート打設後の縦断面図である。
【発明を実施するための形態】
【００１２】
以下に、図面に基づいて本発明による止水板補正冶具の実施形態について説明する。
本実施による止水板補正冶具１は、図１と図２のように、止水板取付部２と、躯体当接部３とを備えており、その全体が数字の「７」の字に似た形状をなしている。止水板取付部２は、一方側押さえ片（一方側押さえ部）２ａと他方側押さえ片（他方側押さえ部）２ｂと、一方側押さえ片２ａと他方側押さえ片２ｂの先端端部をつなぐ連結片（連結部）２ｃとからほぼコ字状をなしている。また、上記の一方側押さえ片２ａと他方側押さえ片２ｂと連結片２ｃで囲まれた内周部は、止水板４の端部４ａを受け入れてくわえ込ませるための保持スペースとなる。躯体当接部３は、板状をなしており、躯体５ａ，５ｂ，６ａ，１１との当接箇所３ａが扁平に形成してある。また、躯体当接部３は、上記した止水板取付部２の他方側押さえ片２ｂから延長した端部に設けてあり、さらに、他方側押さえ片２ｂから傾斜して屈曲するものである。
【００１３】
上記した止水板補正冶具１の使用手順を以下に示す。
尚、本実施では、図７（ａ）〜（ｃ）のように、止水板４を挟んで一方のコンクリート躯体５ａと他方のコンクリート躯体５ｂが隣接する構造物を施工し、止水板４が上記の各コンクリート躯体５ａ，５ｂ間の継目Ｐを遮る状態で配置されるものである。止水板補正冶具１は、まず図５（ａ）のように、型枠６の上に支持された止水板４の端部を、止水板補正冶具１の止水板取付部２の端部受入口１０に浅く差し込んでいく。次に図５（ｂ）のように、止水板補正冶具１を斜め上方に持ち上げることにより、止水板取付部２でくわえ込んだ止水板４の端部も彎曲しながら持ち上がる。最後に図５（ｃ）のように、持ち上げた止水板４の端部４ａを止水板補正冶具１の端部受入口１０に深く差し込んでいき、止水板補正冶具１の躯体当接部３を型枠６を構成する縦型枠６ａに当接する。これにより、可撓性を有する止水板４の端部４ａが彎曲変形したときの弾性復帰に伴う弾性力が躯体当接部３を介して縦型枠６ａに伝わり、躯体当接部３が縦型枠６ａを押圧する。このことから、止水板補正冶具１が止水板４の端部４ａと縦型枠６ａとの間で、いわゆる突っ張った状態となり、止水板４の端部４ａを持ち上げた状態を維持する。
【００１４】
上記の止水板補正冶具１の使用手順に基づいて、一方のコンクリート躯体５ａと他方のコンクリート躯体５ｂの施工に応用したときの手順を以下に示す。
【００１５】
「一方のコンクリート躯体５ａの施工手順について」
第一の手順として、図３（ａ）のように、型枠６の上端に止水板４を配置する。次いで、図３（ｂ）のように、止水板４が配置された型枠６の上にもう一つ縦型枠６ａを設置する。
第二の手順として、図３（ｃ）のように、型枠６の内周側に突出した止水板４の端部に、本実施による止水板補正冶具１の止水板取付部２をくわえ込ませる。さらに、上記の止水板補正冶具１の躯体当接部３を縦型枠６ａのコンクリート９打設側面に当接させる。このときに、本実施による止水板補正冶具１の止水板取付部２は、止水板４の荷重と止水板４の持ち上げ時に発生する弾性力を受ける。これにより、躯体当接部３は、縦型枠６ａを押圧し、止水板４と縦型枠６ａとの間でいわゆる突っ張った状態となるので、止水板補正冶具１が止水板４と縦型枠６ａとの間にしっかりと配置される。そして、上記の止水板補正冶具１の取付作業を一方のコンクリート躯体５ａのほぼ垂直な壁部端面のほぼ全周に配置される止水板４に対し、間隔をあけて複数の箇所で同様の施工をする。その後、止水板４の上部に取り付けた縦型枠６ａの上端位置まで生コンクリート（コンクリート）９を打設する。
第三の手順として、図３（ｄ）のように、止水板補正冶具１を止水板４の端部４ａから取り外し、止水板４の端部４ａが弾性復帰させると、打設した生コンクリート９の上にほぼ水平に配置される。その後、止水板４と下段型枠６に打設した生コンクリート９の上に、縦型枠６ａの上端まで生コンクリート９を打設し、さらに、養生することで一方のコンクリート躯体５ａが完成する。最後に型枠６を外して露出した他方のコンクリート躯体５ｂの端面に目地板１１を取り付ける。
【００１６】
「他方のコンクリート躯体の施工について」
第一の手順について、図４（ａ）のように、上記した一方のコンクリート躯体５ａに配置してある止水板４の端部４ａに、本実施による止水板補正冶具１の止水板取付部２をくわえ込ませる。さらに、止水板補正冶具１の躯体当接部３を一方のコンクリート躯体５ａの端面に取り付けた目地板１１に当接し、止水板取付部２を斜め上方に向けることで、止水板４の端部４ａを持ち上げた状態で突っ張らせる。
第二の手順として、図４（ｂ）のように、型枠６に対して止水板４とほぼ同じ高さまでコンクリートを打設する。
第三の手順として、図４（ｃ）のように、止水板４から止水板補正冶具１を取り外し、止水板４をコンクリート打設面とほぼ水平な状態に戻す。
第四の手順として、図４（ｄ）のように、止水板４の上にコンクリートを打設し、養生後に型枠６を外すことで、上記した一方のコンクリート躯体５ａとほぼ同一の構造のものを形成する。
以上の各手順を経て本実施による止水板補正冶具１による施工が完了する。
【００１７】
上記のように施工した止水板補正冶具１による作用、効果について以下に説明する。
止水板４の端部４ａを止水板取付部２で係止することにより、ほぼコ字状をなす内周部に止水板取付部２でくわえ込む形状をなしている。このことから、止水板取付部２と止水板４との間に隙間があっても、止水板取付部２を構成する一方側押さえ片２ａと他方側押さえ片２ｂで止水板４の端部４ａを挟み込む構造であるため、様々な厚みや断面形状をもつ止水板４に対しても、止水板取付部２を取り付けた後に離脱しにくくなる。さらに、上記のような止水板取付部２での端部４ａの係止状態を保ちながら荷重により垂れ下がった止水板４の端部４ａを持ち上げるとともに、躯体当接部３を躯体５ａ，５ｂ，６ａ，１１の端面に当接する。これにより、端部４ａを持ち上げた止水板４の荷重と、止水板４自体の弾性で躯体当接部３側に躯体５ａ，５ｂ，６ａ，１１を押す押圧力が働くので、止水板４と各コンクリート躯体５ａ，５ｂ、縦型枠６ａまたは目地板１１の間に止水板補正冶具１が突っ張った状態で配置される。したがって、荷重による変形が極めて小さいかたちで止水板４がほぼ水平な状態で各コンクリート躯体５ａ，５ｂに跨って配置されるので、養生後の各コンクリート躯体５ａ，５ｂと止水板４との間に隙間がほとんど形成されず、各コンクリート躯体５ａ，５ｂ内部への浸水が防がれる。
【００１８】
本発明の止水板補正冶具１の他の実施形態として、図６（ａ）のように、止水板取付部２が止水板４の端部４ａをくわえ込む一方側押さえ片（一方側押さえ部）２ａと他方側押さえ片（他方側押さえ部）２ｂの間隔を調整する間隔調整部８を有するものである。間隔調整部８は、ツマミ８ａを有するネジ部８ｂを他方側押さえ部に設けたネジ孔８ｃに螺合し、止水板取付部２の一方側押さえ片２ａと他方側押さえ片２ｂの間隔をネジ部８ｂの締め込み具合で調整することによって、厚みの相違する様々な止水板４に対応して容易にくわえ込ませることができる。
【００１９】
本発明は、上記実施形態のほか特許請求に記載する範囲内で適宜変更することができる。
止水板取付部２の一方側押さえ片２ａと他方側押さえ片２ｂの長さは、止水板４の端部が突出する具合に対応して適宜変更できる。また、躯体当接部３は、上記実施形態のものでは板状に形成してあり、躯体５ａ，５ｂ，６ａ，１１に対して板の扁平な部分が躯体５ａ，５ｂ，６ａ，１１への当接箇所３ａとして当たる構造となっている。しかしながら、本発明は、上記の実施形態に限定されるものではなく、図６（ａ）のように、躯体当接部３と躯体５ａ，５ｂ，６ａ，１１との当接箇所３ａのみが凹凸状をなすものや、あるいは、躯体５ａ，５ｂ，６ａ，１１との当接箇所３ａが粗面に形成してあるものでもよく、躯体５ａ，５ｂ，６ａ，１１と当接したときに止水補正冶具１がズレにくい構造となっていればよい。さらに、止水板補正冶具１を取り付ける箇所や設置数についても、施工するコンクリート躯体５ａ，５ｂの規模や止水板４の取付範囲にあわせて自在に変更できる。また、止水板補正冶具１は、その素材を限定しないが、ステンレス合金やアルミ合金、樹脂、木などの止水板４の荷重や弾性力に抗する耐久性を有するとともに、施工時の作業者負担を考慮して比較的軽量な素材で形成してあることが望ましい。
【符号の説明】
【００２０】
１  止水板補正冶具
２  止水板取付部
２ａ  一方側押さえ片（一方側押さえ部）
２ｂ  他方側押さえ片（他方側押さえ部）
２ｃ  連結片（連結部）
３  躯体当接部
３ａ  当接箇所
４  止水板
５ａ  一方のコンクリート躯体（躯体）
５ｂ  他方のコンクリート躯体（躯体）
６  型枠
６ａ  縦型枠（躯体）
８  間隔調整部
８ａ  ツマミ
８ｂ  ネジ部
８ｃ  ネジ孔
９  生コンクリート（コンクリート）
１０  端部受入口
１１  目地板（躯体）
Ｐ  継目
Ｓ  空隙
【図１】
2016223210.tif 000003
【図２】
2016223210.tif 000004
【図３】
2016223210.tif 000005
【図４】
2016223210.tif 000006
【図５】
2016223210.tif 000007
【図６】
2016223210.tif 000008
【図７】
2016223210.tif 000009
【図８】
2016223210.tif 000010